(57)【特許請求の範囲】
【請求項１】
化粧マスクと液晶モジュールと基本フレームと制御基板とを固定する液晶モジュール固定構造であって、
前記化粧マスクを固定するための固定部材と、
前記液晶モジュールから前記固定部材に向う第１の方向から、前記液晶モジュールを前記固定部材に固定するための第１の固定具と、
前記基本フレームから前記固定部材に向う方向でもある前記第１の方向から、前記液晶モジュールを貫通することなく、前記基本フレームを前記固定部材に固定するための第２の固定具と、
前記制御基板から前記固定部材に向う方向でもある前記第１の方向から、前記制御基板を前記基本フレームに固定する第３の固定具とを備えてなると共に、
前記固定部材が、前記第１の固定具を収容するように加工された第１の加工部と、前記第２の固定具を収容するように加工された第２の加工部とを有してなることを特徴とする液晶モジュール固定構造。
【請求項２】
前記第１、第２及び第３の固定具は、樹脂固定用の固定具であることを特徴とする請求項１記載の液晶モジュール固定構造。
【請求項３】
前記第１、第２及び第３の固定具は、ネジであることを特徴とする請求項１記載の液晶モジュール固定構造。
【請求項４】
前記液晶モジュール及び前記基本フレームは、矩形の形状を有すると共に、前記固定部材は、前記液晶モジュールの対向する一対の辺に沿って、配設された一対の棒状部材からなることを特徴とする請求項１記載の液晶モジュール固定構造。
【請求項５】
前記固定部材は、突出して形成された差込部を備えると共に、前記化粧マスクは、前記差込部を引掛けて収容する引掛部を備えてなることを特徴とする請求項１記載の液晶モジュール固定構造。
【請求項６】
前記化粧マスクは、前記固定部材を係合させるための突出状のリブを備えてなることを特徴とする請求項１記載の液晶モジュール固定構造。
【請求項７】
前記リブは、前記化粧マスクの少なくとも角部に設けられていることを特徴とする請求項６記載の液晶モジュール固定構造。
【請求項８】
化粧マスクと液晶モジュールと基本フレームと制御基板とを固定する液晶モジュール固定方法であって、
前記化粧マスクと固定部材とを固定し、
前記液晶モジュールから前記固定部材に向う第１の方向から、第１の固定具を用いて、前記液晶モジュールを前記固定部材に固定し、
前記基本フレームから前記固定部材に向う方向でもある前記第１の方向から、第２の固定具を用いて、前記液晶モジュールを貫通することなく、前記基本フレームを前記固定部材に固定し、前記制御基板から前記固定部材に向う方向でもある前記第１の方向から、第３の固定具を用いて、前記制御基板を前記基本フレームに固定すると共に、
前記第１の固定具を用いて、前記液晶モジュールを前記固定部材に固定する際には、前記第１の固定具を前記固定部材に設けられた第１の加工部に収容状態に固定し、かつ、前記第２の固定具を用いて、前記基本フレームを前記固定部材に固定する際には、前記第２の固定具を前記固定部材に設けられた第２の加工部に収容状態に固定することを特徴とする液晶モジュール固定方法。
【請求項９】
前記第１、第２及び第３の固定具は、樹脂固定用の固定具であることを特徴とする請求項８記載の液晶モジュール固定方法。
【請求項１０】
前記第１、第２及び第３の固定具は、ネジであることを特徴とする請求項８記載の液晶モジュール固定方法。
【請求項１１】
前記液晶モジュール及び前記基本フレームは、矩形の形状を有すると共に、前記固定部材は、前記液晶モジュールの対向する一対の辺に沿って、配設された一対の棒状部材からなることを特徴とする請求項８記載の液晶モジュール固定方法。
【請求項１２】
前記固定部材は、突出して形成された差込部を備えると共に、前記化粧マスクは、前記差込部を引掛けて収容する引掛部を備えてなることを特徴とする請求項８記載の液晶モジュール固定方法。
【請求項１３】
前記化粧マスクは、前記固定部材を係合させるための突出状のリブを備えてなることを特徴とする請求項８記載の液晶モジュール固定方法。
【請求項１４】
前記リブは、前記化粧マスクの少なくとも角部に設けられていることを特徴とする請求項１３記載の液晶モジュール固定方法。
【発明の詳細な説明】
【０００１】
【発明の属する技術分野】
この発明は、液晶モジュールの固定構造及び固定方法に係り、さらに詳しくは、液晶ディスプレイに使用する液晶モジュールの固定構造及び固定方法に関する。
【０００２】
【従来の技術】
従来、液晶モジュールを液晶ディスプレイに取り付ける際、液晶モジュールの固定方法として、以下に示すような液晶モジュール固定方法が提案されている。
図１０は、従来の液晶モジュール固定構造に係る液晶ディスプレイ（以下、従来例１という）を示す分解斜視図である。
【０００３】
この従来例１に係る液晶ディスプレイは、同図に示すように、化粧マスク５１と、液晶モジュール５３と、固定金具５２ａ，５２ｂと、基本フレーム５４と、制御基板５５とから構成されている。また、この従来例１の液晶モジュール固定構造は、液晶モジュール５３と基本フレーム５４との間に介挿され、液晶モジュールを固定するための固定金具５２ａ及び５２ｂと、液晶モジュール５３を固定金具５２ａ、５２ｂに固定するネジ７４と、固定金具５２ａ、５２ｂを基本フレーム５４に固定するネジ７５と、制御基板５５を基本フレーム５４に固定するネジ７６と、基本フレームから化粧マスク５１まで固定するネジ７７とを備えている。液晶モジュール５３は、供給量の関係から、最近では、同一液晶ディスプレイに対し、複数社製の液晶モジュール５３を使用することが多くなっている。この場合、同一の表示エリアを持つ液晶モジュール５３であっても、製造会社により外形サイズや取付位置等の構造仕様が異なるため、これら液晶モジュール５３の構造差分を吸収するためには、各種液晶モジュール５３に対応した固定金具５２ａ及び５２ｂが、液晶モジュール５３の種類だけ必要となっている。また、基本フレーム５４は、主としてＥＭＩ（electromagnetic interference）対策のための放射ノイズを低減させることを目的としたフレームであり、基本フレーム５４と固定金具５２ａ及び５２ｂとは、一体部品として構成されることもある。
【０００４】
次に、図１０を参照して、従来例１の液晶モジュール固定方法について説明する。
上述した従来例１においては、液晶モジュール５３を固定する際、ネジ７４を用いて、液晶モジュール５３の画面表示側から固定金具５２ａ及び５２ｂに向かう方向（図のＸ方向に）に固定され、また、同じくネジ７５を用いて、固定金具５２ａ及び５２ｂから基本フレーム５４に向かう方向（同じく、図のＸ方向）に固定されている。しかし、制御基板５５と基本フレーム５４とを固定する際には、ネジ７６を用いて、制御基板５４から基本フレームに逆の方向から（図のＹ方向から）固定されている。また、基本フレーム５４と化粧マスク５１とを固定する際にも、基本フレーム５４から化粧マスク５１に同様の方向（図のＹ方向）から固定されている。
【０００５】
従って、上述した従来例１の場合、ネジ固定の方向が２方向にわたるため、液晶ディスプレイを組み立てる際に、一方向から固定した後、他方向から固定する必要があり、このため部品を裏返す作業が発生し、作業性を著しく低下させることになる。また、化粧マスク５１は、通常、樹脂部品であるため、ネジの種類が板金用のネジと、樹脂用のネジとの２種類を必要とし、さらに、板金用のネジか樹脂用のネジかを識別する識別作業が発生することとなる。従って、ネジ締めの自動化が進む中、その制御が益々複雑になっている。
【０００６】
そこで、上述した従来例１における欠点を解消するために、以下のような従来例が提案されている。
図１１は、従来例２の液晶モジュール固定方法を示す分解斜視図である。
この従来例２は、同図に示すように、液晶モジュール６３を化粧マスク６１に固定する際、ネジ７８をネジ穴６４を通してネジ固定部６２に固定する際の方向を、同図のＹ方向のみに限定した例である。
【０００７】
次に、図１２及び図１３を参照して、従来例２の詳細構成について説明する。
図１２及び図１３は、それぞれ、図１１のＥ−Ｅ線での第１及び第２のネジ固定構造を示す断面図である。
まず、図１２に示すように、この従来例２に係る第１のネジ固定構造は、樹脂用ネジ７８が、液晶モジュール６３に設けられたネジ穴６４と、化粧マスク６１に設けられたネジ固定部６２とに挿入される。ネジ固定部６２におけるネジ深さに等しい寸法ｐは、液晶モジュール６３の製造上の問題から大きくすることはできないため、樹脂用ネジ７８の固定強度を考えた場合、ネジ固定部６２の長さは長くする必要があり、従って、液晶モジュール６３と化粧マスク６１との間の隙間が大きくなり、商品性を損なうこととなる。
【０００８】
次に、図１３に示すように、この従来例２に係る第２のネジ固定構造は、化粧マスク６１のネジ固定部６２に金属製の金具６５を埋め込むことで、固定強度を向上させている。また、これにより液晶モジュール６３と化粧マスク６１との間の隙間も抑えている。しかし、この構造では、樹脂製の化粧マスク６１に金属製の金具６５が埋め込まれるため、化粧マスク６１の廃棄の時又はリサイクルの時に、環境問題が残ることとなる。
【０００９】
【発明が解決しようとする課題】
この発明は、上述した問題を鑑みてなされたもので、外形サイズや取付位置等の構造仕様が異なる液晶モジュールを同一筐体に搭載する際、ネジ固定方向を統一し、かつ、使用するネジの種類を統一することを可能にした液晶モジュールの固定構造及び固定方法を提供することを目的としている。
【００１２】
【課題を解決するための手段】
上記課題を解決するために、請求項１記載の発明は、化粧マスクと液晶モジュールと基本フレームと制御基板とを固定する液晶モジュール固定構造に係り、前記化粧マスクを固定するための固定部材と、前記液晶モジュールから前記固定部材に向う第１の方向から、前記液晶モジュールを前記固定部材に固定するための第１の固定具と、前記基本フレームから前記固定部材に向う方向でもある前記第１の方向から、前記液晶モジュールを貫通することなく、前記基本フレームを前記固定部材に固定するための第２の固定具と、前記制御基板から前記固定部材に向う方向でもある前記第１の方向から、前記制御基板を前記基本フレームに固定する第３の固定具とを備えてなると共に、前記固定部材が、前記第１の固定具を収容するように加工された第１の加工部と、前記第２の固定具を収容するように加工された第２の加工部とを有してなることを特徴としている。
【００１４】
また、請求項２記載の発明は、請求項１記載の液晶モジュール固定構造に係り、前記第１、第２及び第３の固定具が、樹脂固定用の固定具であることを特徴としている。
【００１６】
また、請求項３記載の発明は、請求項１記載の液晶モジュール固定構造に係り、前記第１、第２及び第３の固定具が、ネジであることを特徴としている。
【００１７】
また、請求項４記載の発明は、請求項１記載の液晶モジュール固定構造に係り、前記液晶モジュール及び前記基本フレームが、矩形の形状を有すると共に、前記固定部材が、前記液晶モジュールの対向する一対の辺に沿って、配設された一対の棒状部材からなることを特徴としている。
【００１８】
また、請求項５記載の発明は、請求項１記載の液晶モジュール固定構造に係り、前記固定部材が、突出して形成された差込部を備えると共に、前記化粧マスクは、前記差込部を引掛けて収容する引掛部を備えてなることを特徴としている。
【００１９】
また、請求項６記載の発明は、請求項１記載の液晶モジュール固定構造に係り、前記化粧マスクが、前記固定部材を係合させるための突出状のリブを備えてなることを特徴としている。
【００２０】
また、請求項７記載の発明は、請求項６記載の液晶モジュール固定構造に係り、前記リブが、前記化粧マスクの少なくとも角部に設けられていることを特徴としている。
【００２３】
また、請求項８記載の発明は、化粧マスクと液晶モジュールと基本フレームと制御基板とを固定する液晶モジュール固定方法に係り、前記化粧マスクと固定部材とを固定し、前記液晶モジュールから前記固定部材に向う第１の方向から、第１の固定具を用いて、前記液晶モジュールを前記固定部材に固定し、前記基本フレームから前記固定部材に向う方向でもある前記第１の方向から、第２の固定具を用いて、前記液晶モジュールを貫通することなく、前記基本フレームを前記固定部材に固定し、前記制御基板から前記固定部材に向う方向でもある前記第１の方向から、第３の固定具を用いて、前記制御基板を前記基本フレームに固定すると共に、前記第１の固定具を用いて、前記液晶モジュールを前記固定部材に固定する際には、前記第１の固定具を前記固定部材に設けられた第１の加工部に収容状態に固定し、かつ、前記第２の固定具を用いて、前記基本フレームを前記固定部材に固定する際には、前記第２の固定具を前記固定部材に設けられた第２の加工部に収容状態に固定することを特徴としている。
【００２５】
請求項９記載の発明は、請求項８記載の液晶モジュール固定方法に係り、前記第１、第２及び第３の固定具が、樹脂固定用の固定具であることを特徴としている。
【００２７】
請求項１０記載の発明は、請求項８記載の液晶モジュール固定方法に係り、前記第１、第２及び第３の固定具が、ネジであることを特徴としている。
【００２８】
請求項１１記載の発明は、請求項８記載の液晶モジュール固定方法に係り、前記液晶モジュール及び前記基本フレームが、矩形の形状を有すると共に、前記固定部材は、前記液晶モジュールの対向する一対の辺に沿って、配設された一対の棒状部材からなることを特徴としている。
【００２９】
請求項１２記載の発明は、請求項８記載の液晶モジュール固定方法に係り、前記固定部材が、突出して形成された差込部を備えると共に、前記化粧マスクは、前記差込部を引掛けて収容する引掛部を備えてなることを特徴としている。
【００３０】
請求項１３記載の発明は、請求項８記載の液晶モジュール固定方法に係り、前記化粧マスクが、前記固定部材を係合させるための突出状のリブを備えてなることを特徴としている。
【００３１】
請求項２２記載の発明は、請求項２１記載の液晶モジュール固定方法に係り、前記リブが、前記化粧マスクの少なくとも角部に設けられていることを特徴としている。
【００３８】
【発明の実施の形態】
以下、図面を参照して、この発明の実施の形態について詳細に説明する。説明は、実施例を用いて具体的に説明する。
【００３９】
◇第１実施例
まず、図１乃至図５を参照して、この発明の第１実施例である液晶モジュール固定構造について説明する。
図１は、この発明の第１実施例である液晶モジュール固定構造に係る液晶ディスプレイの構成を示す分解斜視図である。
この例の固定構造に係る液晶ディスプレイは、同図に示すように、化粧マスク１と、液晶モジュール３を固定するための固定金具２ａ及び２ｂと、液晶モジュール３と、基本フレーム４と、制御基板５とから構成されている。化粧マスク１，液晶モジュール３，基本フレーム４は、略矩形の形状を有し、化粧マスク１は、液晶ディスプレイの前面に配置され、その周囲に取付用の枠を有している。基本フレーム４は、ＥＭＩ（electromagnetic interference）対策のための放射ノイズを低減させるフレームである。
【００４０】
この例の固定構造は、同図に示すように、化粧マスク１に設けられた引掛部１１，リブ１２と、固定金具２ａ及び２ｂに設けられた差込部２２ｃ，ネジ加工部２２ａ，２２ｂと、液晶モジュール３に設けられたネジ穴３１と、基本フレーム４に設けられたネジ穴４１と、制御基板５に設けられたネジ穴５１と、液晶モジュール３から挿入される第１のネジ７１と、基本フレーム４から挿入される第２のネジ７２と、制御基板から挿入される第３のネジ７３とを備えている。固定金具２ａ，２ｂに設けられた差込部２２ｃには、化粧マスク１に設けられた引掛部１が収容され、固定金具２ａ，２ｂに設けられたネジ加工部２２ａ，２２ｂには、第１のネジが収容される。また、ネジの種類は、第１のネジ７１，第２のネジ７２，第３のネジ７３のいずれも、樹脂用ネジのみを使用し、ネジを固定する方向は、制御基板５から化粧マスク１の方に向かう一方向のみである。
【００４１】
次に、図２乃至図５を参照して、この例の液晶モジュール固定構造の各部の詳細構成について説明する。
図２乃至図５は、それぞれ、図１のＡ−Ａ線、Ｂ−Ｂ線、Ｃ−Ｃ線、Ｄ−Ｄ線の断面図であるが、説明上、この例の液晶モジュールを組み立てたとき断面図を示している。
【００４２】
まず、図２のＡ−Ａ断面図に示すように、この例の化粧マスク１と固定金具２ｂとの固定構造は、化粧マスク１の枠から直角に突出している引掛部１１によって形成される空間に、固定金具２ｂに直角に突出している差込部２２ｃが差し込まれることにより、化粧マスク１と固定金具２ｂとが固定される。また、この例の固定構造は、図１に示すように、化粧マスク１及び固定金具２ｂの３箇所に、それぞれ、引掛部１１及び差込部２２ｃが設けられている。
【００４３】
また、図３のＢ−Ｂ断面図に示すように、この例の化粧マスク１と固定金具２ｂとの固定構造は、化粧マスク１のリブ１２に固定金具２ｂの本体が係合するように配置され、固定金具２ｂの位置が化粧マスク１のリブ１２により決まり、外側が抑えられることになり、動作可能方向は、中央に向かう方向のみとなる。また、この例の固定構造は、図１に示すように、化粧マスク１の上下端部と、その間の所定の箇所に、リブ１２が設けられている。
【００４４】
また、図４のＣ−Ｃ断面図に示すように、この例の固定金具２ｂと液晶モジュール３との固定構造は、液晶モジュール３を固定金具２ｂ上に積み上げ、固定金具２ｂに設けられたネジ加工部２２ａに液晶モジュール３のネジ穴３１を合致させた後、第１のネジ（樹脂用）７１で固定する。固定金具２ｂが、液晶モジュール３により一体となったことで、中央に向かう方向のみ動作可能となっていた構造が完全に固定される。
【００４５】
また、図５のＤ−Ｄ線断面図に示すように、この例の固定金具２ｂと基本フレーム４との固定構造は、基本フレーム４のネジ穴４１と、固定金具２ｂのネジ加工部２２ｂとを合致するように配置した後、ネジ穴４１，ネジ加工部２２ｂを第２のネジ（第１のネジ７１と同種のネジ）７２で固定する。
【００４６】
最後に、図１に示すように、制御基板５を第３のネジ７３で固定し、化粧カバー６を同一の方向（矢印アの方向）から取り付けることで、液晶ディスプレイの組立が完成する。なお、第１のネジ７１，第２のネジ７２，第３のネジ７３は、同種の樹脂用ネジであり、同一方向から挿入して固定する。以上の構成によれば、仕様変更に費用が嵩む化粧マスク１や基本フレーム４等の構造仕様を変えることなく、固定金具２ａ,２ｂの形状を変えるだけで、外形サイズや取付位置等の構造仕様が異なる液晶モジュールの差分を吸収することができるので、製造開発コストの低減化を図ることができる。
【００４７】
◇参考例１
次に、図６及び図７を参照して、液晶モジュール固定構造の参考例１に言及する。
図６は、液晶モジュール固定構造の参考例１を示す分解斜視図である。
この例の液晶モジュール固定構造に係る液晶ディスプレイは、同図に示すように、化粧マスク２１と、液晶モジュール２３と、基本フレーム２４とから構成され、この例の固定構造は、液晶モジュールの裏面の所定の箇所に直接設けられたネジ加工部２５を備えている。このネジ加工部２５に前述した第１実施例で用いた第２のネジ７２を挿入することで、非常に簡単な構成により液晶モジュール２３と基本フレーム２４とを固定することができる。その他の構成は、第１実施例と同様であるので、省略する。
【００４８】
次に、この例の固定構造の詳細構成について説明する。
図７は、図６のＦ−Ｆ線断面図である。説明上、この例の液晶モジュールを組み立てたときの断面図を示している。
この例の固定構造は、同図に示すように、液晶モジュール２３の裏面にネジ加工部２５が設けられている。ネジ加工部２５は、基本フレーム２４を間に挟んで第２のネジ（樹脂用ネジ）７１を受け入れるように構成されている。特に、液晶モジュール２３の裏面に直接設けられたネジ加工部２５を用いたことにより、固定構造の部品点数を削減することができる。また、液晶モジュール２３と基本フレーム２４とを固定する際、第１のネジと同種の第２のネジ（樹脂用ネジ）７２を用いて、同一の方向から固定する点では第１実施例と同様である。
【００４９】
◇参考例２
次に、図８及び図９を参照して、液晶モジュール固定構造の参考例２に言及する。
図８は、液晶モジュール固定構造の参考例２を示す分解斜視図である。
この例の液晶モジュール固定構造に係る液晶ディスプレイは、同図に示すように、化粧マスク２１と、液晶モジュール３３と、基本フレーム２４とから構成され、この例の固定構造は、液晶モジュール３３の所定の縁部に設けられ金具取付部３４と、金具取付部３４に取り付けられるネジ固定金具３２を備えている。ネジ固定金具３２は、液晶モジュール３３の所定の縁部を挟み込むように金具取付部３４に取り付けられ、第２のネジ（樹脂用ネジ）７２を用いて同一の方向から固定する点では、前述した第１実施例と同様であるが、この例の固定構造は、ネジ固定金具３２を用いており、組立方向を統一することのみを目的とした液晶モジュール固定構造である。参考例１と異なる点は、参考例１では、液晶モジュール２３の裏面にネジ加工部２５が設けられたが、この参考例２では、固定金具３２を液晶モジュール３３の金具取付部３４を挟み込むようにネジ固定金具３２を配設している点である。
【００５０】
次に、この例の固定構造の詳細構成について説明する。
図９は、図８のＧ−Ｇ線断面図である。説明上、この例の液晶モジュールを組み立てたときの断面図を示している。
この例の液晶モジュール固定構造は、同図に示すように、ネジ固定金具３２を液晶モジュール３３の金具取付部３４に挟込むことで、基本フレーム２４を間に挟んで、第２のネジ（樹脂用ネジ）７２を用いて、液晶モジュール３３裏面からのネジ固定を可能とする。特に、液晶モジュール３３に取り付けられたネジ固定金具３２を用いたことにより、液晶モジュール固定構造の部品点数を削減することができる。
【００５１】
以上、この発明の実施例を図面を参照して詳述してきたが、具体的な構成はこの実施例に限られるものではなく、この発明の要旨を逸脱しない範囲の設計の変更などがあってもこの発明に含まれる。
例えば、上述の実施例においては、一般的な液晶モジュール３，２３，３３を搭載した場合の例を示したが、これに限定されず、より複雑な固定構造を有する液晶モジュールにおいても、組立方向を統一するだけであれば、この例の固定構造を用いることにより、ネジ固定方向を統一することが可能である。
【００５２】
また、この例の固定構造では、液晶モジュール３，２３，３３の固定に関して述べているが、これに限定されず、他の部品の固定についても応用することができる。その場合、説明図の液晶モジュールを置き換えることで説明される。
【００５３】
また、上述の実施例においては、化粧マスク１に設けられたリブ１２，引掛部１１を化粧マスク１の縁部に設けたが、これに限定されず、その形状に合わせていかなる箇所にも配設することができる。
【００５４】
また、上述した実施例においては、固定するネジを、液晶モジュール３，基本フレーム４，制御基板５のいずれから挿入するかによって区別したが、これに限定されず、一括して固定金具２ａ，２ｂに固定することができる。
【００５５】
また、上述した実施例においては、固定金具１２ａ及び１２ｂは、棒状の固定金具を用いたが、これに限定されず、液晶モジュールの外形サイズや取付位置等の構造仕様に応じてその構造差分を吸収できるように変形して用いることができる。
【００５６】
また、上述した実施例においては、固定金具２ａ、２ｂと区別したが、これに限定されず、液晶モジュールの構造により左右対称形状であれば、固定金具２ａ，２ｂを共通化でき、開発コストを抑えることができる。
【００５７】
【発明の効果】
以上説明したように、この発明の構成によれば、外形サイズや取付位置が異なる液晶モジュールの構造差分を吸収する固定部材を液晶モジュールの種類（構造の違い）だけ揃えることで、基本フレームや化粧マスクの形状は、１種類ですみ、液晶モジュールの種類毎に開発する必要がないため、製造開発コストを低減させることができる。
また、この発明の構成によれば、液晶モジュールを固定する際に同一の方向から全ての部品を取り付けることが可能となり、作業性を向上させることができ、これにより、組立時間が短縮でき、製造コストの低減を達成できる。なぜなら、液晶モジュールの種類だけ基本フレームや化粧マスクを揃えるよりも、固定部材を揃える方が、大幅に費用削減を見込めるからである。
また、この発明によれば、同種のネジによる組立が可能となり、ネジを識別することなく、作業性を向上させることができる。
また、この発明の構成によれば、固定するネジの種類が統一されているので、ネジを間違うことなく組立が可能なため、ネジの相違により各部品を破損することなく、不良コストを低減することができる。
また、この発明の構成によれば、ネジ締めの自動機等に対して対応可能であり、その自動機の構造を簡素化することができ、製造コストの低減に繋がる。
また、この発明の構成によれば、引掛け構造を設けることで、化粧マスクと基本フレームとの固定をネジを使用しないで行えるため、ネジ本数の削減にも効果をもたらす。
【図面の簡単な説明】
【図１】この発明の第１実施例に係る液晶ディスプレイの構成を示す分解斜視図である。
【図２】図１のＡ−Ａ線の断面図である。
【図３】図１のＢ−Ｂ線の断面図である。
【図４】図１のＣ−Ｃ線の断面図である。
【図５】図１のＤ−Ｄ線の断面図である。
【図６】  参考例１に係る液晶ディスプレイの構成を示す分解斜視図である。
【図７】図６のＦ−Ｆ線の断面図である。
【図８】  参考例２に係る液晶ディスプレイの構成を示す分解斜視図である。
【図９】図８のＧ−Ｇ線の断面図である。
【図１０】従来例１に係る液晶ディスプレイの構成を示す分解斜視図である。
【図１１】従来例２に係る液晶ディスプレイの構成を示す分解斜視図である。
【図１２】従来例２に係る図１１のＥ−Ｅ線の断面図である。
【図１３】従来例２に係る図１１のＥ−Ｅ線の断面図である。
【符号の説明】
１，６１  化粧マスク
２ａ，２ｂ  固定金具
３，２３，３３  液晶モジュール
４，２４  基本フレーム
５  制御基板
６  化粧カバー
１１  引掛部
１２  リブ
２１  差込部
２２ａ，２２ｂ  ネジ加工部（固定金具）
２５  ネジ加工部（液晶モジュール）
３１  ネジ穴（液晶モジュール）
３２  ネジ固定金具
３４  金具取付部
４１  ネジ穴（基本フレーム）
５１  ネジ穴（制御基板）
７１  第１のネジ（樹脂用）
７２  第２のネジ（樹脂用）
７３  第３のネジ（樹脂用）
【図１】
0003709366.tif 000002
【図２】
0003709366.tif 000003
【図３】
0003709366.tif 000004
【図４】
0003709366.tif 000005
【図５】
0003709366.tif 000006
【図６】
0003709366.tif 000007
【図７】
0003709366.tif 000008
【図８】
0003709366.tif 000009
【図９】
0003709366.tif 000010
【図１０】
0003709366.tif 000011
【図１１】
0003709366.tif 000012
【図１２】
0003709366.tif 000013
【図１３】
0003709366.tif 000014